【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
被記録媒体に画像を記録するインクジェット記録装置であって、
インクを吐出可能なノズルが複数配列されたチップを複数備え、前記複数のチップのうち互いに隣接する２つのチップそれぞれの所定数のノズルに対応する記録範囲がオーバーラップする記録ヘッドと、
前記ノズルの配列方向と交差する方向に前記記録ヘッドと被記録媒体とを相対移動させ、かつ前記記録ヘッドからインクを吐出させて記録を行う制御手段と、
前記記録ヘッドの前記複数のチップに配列される前記複数のノズルから、不良ノズルを検出する検出手段と、
前記検出手段によって検出された不良ノズルに応じて、互いに隣接する前記２つのチップにおける前記所定数のノズルのそれぞれを使用するか否かを設定する設定手段と、
を備え、
前記設定手段は、互いに隣接する前記２つのチップにおける前記所定数のノズルのうち使用するノズルとして設定される数が異なる複数の制御形態の中から、１つの制御形態を選択的に設定する
ことを特徴とするインクジェット記録装置。
【請求項２】
前記複数の制御形態は、互いに隣接する前記２つのチップの一方のチップにより記録される画像と、他方のチップにより記録される画像と、の境界を異ならせる制御形態であることを特徴とする請求項１に記載のインクジェット記録装置。
【請求項３】
前記複数の制御形態は、前記チップの端部に向けて使用比率を少なくするように、互いに隣接する前記２つのチップにおける前記所定数のノズルを使用することを特徴とする請求項２に記載のインクジェット記録装置。
【請求項４】
同じインクを吐出可能な前記記録ヘッドを前記相対移動方向に複数並べて用い、
前記設定手段は、前記複数の記録ヘッドにおける前記制御形態を関連的に設定することを特徴とする請求項１から３のいずれかに記載のインクジェット記録装置。
【請求項５】
少なくとも１つの記録ヘッドにおける前記制御形態は、前記１つの記録ヘッドにおける前記所定数のノズルと同一ラスター上に位置する少なくとも他の１つの記録ヘッドにおけるノズルのインクの吐出状態に応じて、設定することを特徴とする請求項４に記載のインクジェット記録装置。
【請求項６】
前記複数の記録ヘッドにおいて同一ラスター上に位置する複数のノズルを関連的に制御し、少なくとも１つのノズルを他の少なくとも１つノズルによって補完するように制御する補完制御手段を備えることを特徴とする請求項４または５に記載のインクジェット記録装置。
【請求項７】
前記補完制御手段は、前記同一ラスター上に位置する複数のノズルのインクの吐出状態に応じて、前記複数のノズルを関連的に制御することを特徴とする請求項６に記載のインクジェット記録装置。
【請求項８】
前記補完制御手段は、前記同一ラスター上に位置する複数のノズルのインクの吐出量に応じて、前記複数のノズルを関連的に制御することを特徴とする請求項６に記載のインクジェット記録装置。
【請求項９】
被記録媒体に画像を記録するインクジェット記録方法であって、
インクを吐出可能なノズルが複数配列されたチップを複数備え、前記複数のチップのうち互いに隣接する２つのチップそれぞれの所定数のノズルに対応する記録範囲がオーバーラップする記録ヘッドを用い、
前記ノズルの配列方向と交差する方向に前記記録ヘッドと被記録媒体とを相対移動させ、かつ前記記録ヘッドからインクを吐出させて記録を行う制御工程と、
前記記録ヘッドの前記複数のチップに配列される前記複数のノズルから、不良ノズルを検出する検出工程と、
前記検出工程によって検出された不良ノズルに応じて、互いに隣接する前記２つのチップにおける前記所定数のノズルのそれぞれを使用するか否かを設定する設定工程と、
を含み、
前記設定工程は、互いに隣接する前記２つのチップにおける前記所定数のノズルのうち使用するノズルとして設定される数が異なる複数の制御形態の中から、１つの制御形態を選択的に設定する
ことを特徴とするインクジェット記録方法。
【請求項１０】
インクを吐出可能なノズルが複数配列されたチップを複数備え、前記複数のチップのうち互いに隣接する２つのチップそれぞれの所定数のノズルに対応する記録範囲がオーバーラップする記録ヘッドを用い、前記ノズルの配列方向と交差する方向に前記記録ヘッドと被記録媒体とを相対移動させ、かつ前記記録ヘッドからインクを吐出させて被記録媒体に画像を記録する際の制御形態を設定するための記録制御形態の設定方法であって、
前記記録ヘッドの前記複数のチップに配列される前記複数のノズルから、不良ノズルを検出する検出工程と、
前記検出工程によって検出された不良ノズルに応じて、互いに隣接する前記２つのチップにおける前記所定数のノズルのそれぞれを使用するか否かを設定する設定工程と、
を含み、
前記設定工程は、互いに隣接する前記２つのチップにおける前記所定数のノズルのうち使用するノズルとして設定される数が異なる複数の制御形態の中から、１つの制御形態を選択的に設定する
ことを特徴とする記録制御形態の設定方法。
【手続補正２】
【補正対象書類名】明細書
【補正対象項目名】発明の名称
【補正方法】変更
【補正の内容】
【発明の名称】インクジェット記録装置、インクジェット記録方法、および記録制御形態の設定方法
【手続補正３】
【補正対象書類名】明細書
【補正対象項目名】０００１
【補正方法】変更
【補正の内容】
【０００１】
本発明は、インクを吐出可能なノズルが複数配列された記録素子を複数に備えた記録ヘッドを用いて、画像を記録するためのインクジェット記録装置、インクジェット記録方法、および記録制御形態の設定方法に関するものである。
【手続補正４】
【補正対象書類名】明細書
【補正対象項目名】００１２
【補正方法】変更
【補正の内容】
【００１２】
本発明の目的は、記録ヘッドにおけるつなぎ部分に不良ノズルが生じた場合に、その不良ノズルに起因する画像欠陥の発生を抑えるように記録ヘッドを制御することにより、記録ヘッドのコストアップの抑制と記録速度の高速化を図りつつ、高品位の画像を記録することができるインクジェット記録装置、インクジェット記録方法、および記録制御形態の設定方法を提供することにある。
【手続補正５】
【補正対象書類名】明細書
【補正対象項目名】００１３
【補正方法】変更
【補正の内容】
【００１３】
本発明のインクジェット記録装置は、被記録媒体に画像を記録するインクジェット記録装置であって、インクを吐出可能なノズルが複数配列されたチップを複数備え、前記複数のチップのうち互いに隣接する２つのチップそれぞれの所定数のノズルに対応する記録範囲がオーバーラップする記録ヘッドと、前記ノズルの配列方向と交差する方向に前記記録ヘッドと被記録媒体とを相対移動させ、かつ前記記録ヘッドからインクを吐出させて記録を行う制御手段と、前記記録ヘッドの前記複数のチップに配列される前記複数のノズルから、不良ノズルを検出する検出手段と、前記検出手段によって検出された不良ノズルに応じて、互いに隣接する前記２つのチップにおける前記所定数のノズルのそれぞれを使用するか否かを設定する設定手段と、を備え、前記設定手段は、互いに隣接する前記２つのチップにおける前記所定数のノズルのうち使用するノズルとして設定される数が異なる複数の制御形態の中から、１つの制御形態を選択的に設定することを特徴とする。
【手続補正６】
【補正対象書類名】明細書
【補正対象項目名】００１４
【補正方法】変更
【補正の内容】
【００１４】
本発明のインクジェット記録方法は、被記録媒体に画像を記録するインクジェット記録方法であって、インクを吐出可能なノズルが複数配列されたチップを複数備え、前記複数のチップのうち互いに隣接する２つのチップそれぞれの所定数のノズルに対応する記録範囲がオーバーラップする記録ヘッドを用い、前記ノズルの配列方向と交差する方向に前記記録ヘッドと被記録媒体とを相対移動させ、かつ前記記録ヘッドからインクを吐出させて記録を行う制御工程と、前記記録ヘッドの前記複数のチップに配列される前記複数のノズルから、不良ノズルを検出する検出工程と、前記検出工程によって検出された不良ノズルに応じて、互いに隣接する前記２つのチップにおける前記所定数のノズルのそれぞれを使用するか否かを設定する設定工程と、を含み、前記設定工程は、互いに隣接する前記２つのチップにおける前記所定数のノズルのうち使用するノズルとして設定される数が異なる複数の制御形態の中から、１つの制御形態を選択的に設定することを特徴とする。
【手続補正７】
【補正対象書類名】明細書
【補正対象項目名】００１５
【補正方法】変更
【補正の内容】
【００１５】
本発明の記録制御形態の設定方法は、インクを吐出可能なノズルが複数配列されたチップを複数備え、前記複数のチップのうち互いに隣接する２つのチップそれぞれの所定数のノズルに対応する記録範囲がオーバーラップする記録ヘッドを用い、前記ノズルの配列方向と交差する方向に前記記録ヘッドと被記録媒体とを相対移動させ、かつ前記記録ヘッドからインクを吐出させて被記録媒体に画像を記録する際の制御形態を設定するための記録制御形態の設定方法であって、前記記録ヘッドの前記複数のチップに配列される前記複数のノズルから、不良ノズルを検出する検出工程と、前記検出工程によって検出された不良ノズルに応じて、互いに隣接する前記２つのチップにおける前記所定数のノズルのそれぞれを使用するか否かを設定する設定工程と、を含み、前記設定工程は、互いに隣接する前記２つのチップにおける前記所定数のノズルのうち使用するノズルとして設定される数が異なる複数の制御形態の中から、１つの制御形態を選択的に設定することを特徴とする。
【手続補正８】
【補正対象書類名】明細書
【補正対象項目名】００１６
【補正方法】削除
【補正の内容】